(57)【要約】【課題】空気調和機に設定されている風量を容易に認識することが可能な空気調和機を提供する。【解決手段】空気調和機１０１は、送風を行う送風部１０２と、光を出射する光出射部１０３と、送風部１０２及び光出射部１０３を制御する制御部１０５とを備える。制御部１０５は、送風部１０２からの風量に応じて光出射部１０３から出射される光１０３ｃを制御する。【選択図】図１
2019086157.tif 000002
【特許請求の範囲】
【請求項１】
送風を行う送風部と、
光を出射する光出射部と、
前記送風部及び前記光出射部を制御する制御部と
を備え、
前記制御部は、前記送風部からの風量に応じて前記光出射部から出射される光を制御する
空気調和機。
【請求項２】
前記送風部は、風向きを調節する風向調節部を有する請求項１に記載の空気調和機。
【請求項３】
前記制御部は、前記風向調節部を制御することにより、前記光出射部から出射される光の方向を制御する請求項２に記載の空気調和機。
【請求項４】
前記光出射部は、前記風向調節部に固定されている請求項３に記載の空気調和機。
【請求項５】
前記制御部は、前記風向調節部の動作とは独立して前記光出射部から出射される光の方向を制御する請求項２に記載の空気調和機。
【請求項６】
前記風向調節部は、ルーバを有する請求項２から５のいずれか１項に記載の空気調和機。
【請求項７】
前記風向調節部は、フラップを有する請求項２から６のいずれか１項に記載の空気調和機。
【請求項８】
前記制御部は、前記風量に応じて前記光出射部から出射される光の焦点位置を制御する請求項１から７のいずれか１項に記載の空気調和機。
【請求項９】
前記光出射部は、前記光を放射する光源と、前記光源と共に用いられる光学素子とを有する請求項８に記載の空気調和機。
【請求項１０】
前記制御部は、前記風量に応じて前記光学素子に対する前記光源の位置を制御することにより前記焦点位置を制御する請求項９に記載の空気調和機。
【請求項１１】
前記制御部は、前記風量に応じて前記光出射部から出射される光の強度を制御する請求項１から１０のいずれか１項に記載の空気調和機。
【請求項１２】
前記送風部は、気流を生成するファンを有する請求項１から１１のいずれか１項に記載の空気調和機。
【請求項１３】
前記制御部は、前記ファンの回転数を制御することにより前記風量を制御する請求項１２に記載の空気調和機。
【発明の詳細な説明】
【技術分野】
【０００１】
本発明は、空気調和機に関する。
【背景技術】
【０００２】
一般に、空気調和機の風向きは、リモートコントローラを用いて設定される。しかしながら、空気調和機から実際に排出されている風の向きを視覚的に認識することは困難である。そこで、空気調和機に設定された風向きと同じ方向に光を照射することにより、風向きを視覚的に認識可能な空気調和機が提案されている（例えば、特許文献１参照）。
【先行技術文献】
【特許文献】
【０００３】
【特許文献１】特開平７−２０５６４２号公報
【発明の概要】
【発明が解決しようとする課題】
【０００４】
しかしながら、従来の技術では、空気調和機から出射された光を見るだけでは空気調和機に設定されている風量を認識することができない。
【０００５】
本発明の目的は、空気調和機に設定されている風量を容易に認識することが可能な空気調和機を提供することである。
【課題を解決するための手段】
【０００６】
本発明の空気調和機は、送風を行う送風部と、光を出射する光出射部と、前記送風部及び前記光出射部を制御する制御部とを備え、前記制御部は、前記送風部からの風量に応じて前記光出射部から出射される光を制御する。
【発明の効果】
【０００７】
本発明によれば、空気調和機に設定されている風量を容易に認識することが可能な空気調和機を提供することができる。
【図面の簡単な説明】
【０００８】
【図１】本発明の実施の形態１に係る空気調和機の構成を概略的に示す図である。
【図２】空気調和機の制御系の構成を示すブロック図である。
【図３】（ａ）は、制御部のハードウェア構成の一例を示す図であり、（ｂ）は、制御部のハードウェア構成の他の例を示す図である。
【図４】光出射部の構成の一例を示す図である。
【図５】空気調和機を上から見たときのルーバに固定された光出射部からの光の横方向の出射範囲を示す図である。
【図６】空気調和機を横から見たときのフラップに固定された光出射部からの光の縦方向の出射範囲を示す図である。
【図７】空気調和機の動作の一例を示すフローチャートである。
【図８】本発明の実施の形態２に係る空気調和機の構成を概略的に示す図である。
【発明を実施するための形態】
【０００９】
以下、本発明の実施の形態を、図面を参照して説明する。
実施の形態１．
図１は、本発明の実施の形態１に係る空気調和機１０１の構成を概略的に示す図である。
空気調和機１０１は、送風する送風部１０２と、光出射部１０３と、信号受信部１０４と、主制御部としての制御部１０５と、筐体１０６と、空気調和機１０１を操作するための信号を送信する操作端末としてのリモートコントローラ（以下、リモコンという）１０７とを有する。
【００１０】
送風部１０２は、気流を生成するファン１０２ａと、風向きを調節する風向調節部１０２ｂとを有する。送風部１０２は送風を行う。
【００１１】
風向調節部１０２ｂは、ルーバ１０２ｃとフラップ１０２ｄとを有する。図１に示される例では、風向調節部１０２ｂは、複数のフラップ（具体的には、第１のフラップとしてのフラップ１０２ｅ及び第２のフラップとしてのフラップ１０２ｆ）を有する。以下、フラップ１０２ｅ及び１０２ｆの各々をフラップ１０２ｄともいう。
【００１２】
光出射部１０３は、光を放射する光源１０３ａと、光源１０３ａと共に用いられる光学素子１０３ｂとを有する。光出射部１０３は光（すなわち、後述する図４に示される光１０３ｃ）を出射する。光出射部１０３からの光１０３ｃの出射の機能を光学照準機能（光学照準モードともいう）という。すなわち、空気調和機１０１は、光学照準機能を持つ。
【００１３】
光出射部１０３は、風向調節部１０２ｂに固定されている。図１に示される例では、複数の光出射部１０３が、ルーバ１０２ｃに固定されている。具体的には、２つの光出射部１０３が、ルーバ１０２ｃに固定されている。横方向におけるルーバ１０２ｃの中央に１つの光出射部１０３を固定してもよい。
【００１４】
さらに、図１に示される例では、複数の光出射部１０３が、フラップ１０２ｄに固定されている。具体的には、フラップ１０２ｅに少なくとも１つの光出射部１０３が固定されており、フラップ１０２ｆにも少なくとも１つの光出射部１０３が固定されている。
【００１５】
風向調節部１０２ｂが複数のフラップ１０２ｄを有する場合、横方向における各フラップ１０２ｄの中央（例えば、フラップ１０２ｅの中央及びフラップ１０２ｆの中央）に光出射部１０３を固定する。この場合、ルーバ１０２ｃにおいて、各フラップ１０２ｄに固定された光出射部１０３に最も近い羽板に光出射部１０３を固定する。これにより、空気調和機１０１からの風の方向が２方向以上である場合でも、風の方向に応じて、光出射部１０３から出射される光１０３ｃの方向を制御することができる。
【００１６】
例えば、フラップ１０２ｄの数が１つである場合、横方向におけるフラップ１０２ｄの中央に光出射部１０３を固定する。
【００１７】
光出射部１０３の数及び位置は、フラップ１０２ｄの数に応じて変更してもよい。
【００１８】
信号受信部１０４は、リモコン１０７から送信された信号を受信する。リモコン１０７から信号受信部１０４に入力された信号は、制御部１０５に転送される。
【００１９】
リモコン１０７は、光学照準機能を用いるためのボタン１０７ａを有する。空気調和機１０１のユーザは、リモコン１０７を用いて空気調和機１０１を操作する。例えば、ユーザが光学照準機能を用いるとき、ユーザはリモコン１０７のボタン１０７ａを押す。ボタン１０７ａが押されると、光学照準機能を実行するための信号が信号受信部１０４を介して空気調和機１０１の制御部１０５に入力され、光出射部１０３から光１０３ｃが出射される。すなわち、ユーザは、リモコン１０７を用いて光出射部１０３から出射される光１０３ｃの点灯及び消灯を制御することができる。
【００２０】
図２は、空気調和機１０１の制御系の構成を示すブロック図である。
制御部１０５は、空気制御部１０５ａと、光源信号制御部１０５ｂとを有する。制御部１０５は、送風部１０２及び光出射部１０３を制御する。
【００２１】
空気制御部１０５ａは、送風部１０２を制御する。例えば、空気制御部１０５ａは、空気調和機１０１の風量、風向き、温度設定、並びに暖房運転及び冷房運転などの運転モードを制御する。風量、風向き、温度設定、及び運転モードは、リモコン１０７から送信された信号に従って設定される。風量、風向き、温度設定、及び運転モードの制御をまとめて空調制御ともいう。
【００２２】
光源信号制御部１０５ｂは、光出射部１０３を制御する。例えば、光源信号制御部１０５ｂは、光源１０３ａの位置及び光源１０３ａの光の強度を制御する。
【００２３】
図３（ａ）は、制御部１０５のハードウェア構成の一例を示す図である。
図３（ｂ）は、制御部１０５のハードウェア構成の他の例を示す図である。
【００２４】
制御部１０５は、例えば、プロセッサ１０８ａ及びメモリ１０８ｂで構成される。プロセッサ１０８ａは、例えば、メモリ１０８ｂに格納されるプログラムを実行するＣＰＵ（Ｃｅｎｔｒａｌ  Ｐｒｏｃｅｓｓｉｎｇ  Ｕｎｉｔ）である。この場合、空気制御部１０５ａ及び光源信号制御部１０５ｂの機能は、ソフトウェア、ファームウェア、又はソフトウェアとファームウェアとの組み合わせにより実現される。ソフトウェア及びファームウェアはプログラムとしてメモリ１０８ｂに格納することができる。
【００２５】
メモリ１０８ｂは、コンピュータで読み取り可能な記録媒体であり、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などの揮発性メモリ、不揮発性メモリ、又は揮発性メモリと不揮発性メモリとの組み合わせである。
【００２６】
制御部１０５は、単一回路又は複合回路などの専用のハードウェアとしての処理回路１０８ｃで構成されてもよい。この場合、空気制御部１０５ａ及び光源信号制御部１０５ｂの機能は、処理回路１０８ｃで実現される。
【００２７】
制御部１０５（具体的には、空気制御部１０５ａ）は、ファン１０２ａの回転数を制御することにより送風部１０２からの風量を制御する。
【００２８】
制御部１０５（具体的には、光源信号制御部１０５ｂ）は、送風部１０２からの風量に応じて光出射部１０３から出射される光１０３ｃを制御する。例えば、制御部１０５は、送風部１０２からの風量に応じて光出射部１０３から出射される光１０３ｃの強度を制御する。
【００２９】
さらに、制御部１０５（具体的には、光源信号制御部１０５ｂ）は、送風部１０２からの風量に応じて光出射部１０３から出射される光１０３ｃの焦点位置及び照射位置を制御することができる。
【００３０】
光出射部１０３から出射される光１０３ｃの焦点位置は、後述する光学素子１０３ｂの焦点位置である。光出射部１０３から出射される光１０３ｃの照射位置は、例えば、光出射部１０３からの光１０３ｃが部屋内で照射される位置である。
【００３１】
図４は、光出射部１０３の構成の一例を示す図である。
光源１０３ａは、例えば、発光ダイオードである。
【００３２】
光学素子１０３ｂは、例えば、レンズである。光出射部１０３から出射される光１０３ｃは、光線である。ただし、光出射部１０３の構成は、図４に示される例に限られない。
【００３３】
光１０３ｃの色は、暖房運転及び冷房運転などの空気調和機１０１の運転モードに応じて決めることができる。この場合、光出射部１０３は、互いに異なる色の光を放射する複数の光源１０３ａを有してもよい。これにより、各光出射部１０３は、運転モードに応じて光１０３ｃの色を変更することができる。
【００３４】
図４に示されるように、例えば、制御部１０５（具体的には、光源信号制御部１０５ｂ）は、送風部１０２からの風量に応じて光学素子１０３ｂに対する光源１０３ａの位置を制御することにより、光出射部１０３から出射される光１０３ｃの焦点位置及び照射位置を制御する。
【００３５】
具体的には、制御部１０５は、光源１０３ａの位置を変更することにより、光源１０３ａから光学素子１０３ｂまでの距離を変更する。これにより、光１０３ｃの焦点位置及び照射位置が変更される。
【００３６】
本実施の形態では、光源１０３ａから光学素子１０３ｂまでの距離を短くすることにより、光１０３ｃの焦点位置が光学素子１０３ｂに近くなる。この場合、光出射部１０３からの光１０３ｃはぼんやりとした光になる。一方、光源１０３ａから光学素子１０３ｂまでの距離を長くすることにより、光１０３ｃの焦点位置が光学素子１０３ｂから離れる。この場合、光出射部１０３から離れた位置が強く照射される。
【００３７】
例えば、空気調和機１０１の風量が弱い場合、光１０３ｃの焦点位置は、空気調和機１０１の風量が強い場合の光１０３ｃの焦点位置よりも空気調和機１０１に近い。一方、空気調和機１０１の風量が強い場合、光１０３ｃの焦点位置は、空気調和機１０１の位置を基準として、空気調和機１０１の風量が弱い場合の光１０３ｃの焦点位置よりも遠い。
【００３８】
したがって、空気調和機１０１の風量が弱い場合、空気調和機１０１の近くに光１０３ｃが照射され、空気調和機１０１の風量が強い場合、空気調和機１０１の遠くに光１０３ｃが照射される。言い換えると、空気調和機１０１の風量が弱い場合、光１０３ｃの照射位置は、空気調和機１０１の風量が強い場合の光１０３ｃの照射位置よりも空気調和機１０１に近い。一方、空気調和機１０１の風量が強い場合、光１０３ｃの照射位置は、空気調和機１０１の位置を基準として、空気調和機１０１の風量が弱い場合の光１０３ｃの照射位置よりも遠い。
【００３９】
光１０３ｃの焦点位置及び照射位置は互いに同じでもよく、異なっていてもよい。
【００４０】
制御部１０５は、光出射部１０３から出射される光１０３ｃの方向を制御してもよい。この場合、例えば、制御部１０５（具体的には、空気制御部１０５ａ）は、風向調節部１０２ｂを制御することにより、光出射部１０３から出射される光の方向を制御する。
【００４１】
図５は、空気調和機１０１を上から見たときのルーバ１０２ｃに固定された光出射部１０３からの光１０３ｃの横方向の出射範囲Ｒ１を示す図である。
出射範囲Ｒ１は、ルーバ１０２ｃの向きに合わせて光１０３ｃの方向を変更可能な範囲である。すなわち、出射範囲Ｒ１は、横方向（言い換えると、右方向及び左方向）において光１０３ｃが光出射部１０３から出射される範囲である。
【００４２】
図５に示されるように、横方向における光１０３ｃの方向は、ルーバ１０２ｃの向きに応じて変化する。したがって、制御部１０５は、ルーバ１０２ｃの向きを制御することにより横方向における光１０３ｃの方向を制御する。ユーザは、光１０３ｃの方向を見ることにより、空気調和機１０１の横方向における風向きを認識することができる。
【００４３】
図６は、空気調和機１０１を横から見たときのフラップ１０２ｅに固定された光出射部１０３からの光１０３ｃの縦方向の出射範囲Ｒ２を示す図である。
出射範囲Ｒ２は、フラップ１０２ｄ（図６ではフラップ１０２ｅ）の向きに合わせて光１０３ｃの方向を変更可能な範囲である。すなわち、出射範囲Ｒ２は、縦方向（言い換えると、上方向及び下方向）において光１０３ｃが光出射部１０３から出射される範囲である。
【００４４】
図６に示されるように、縦方向における光１０３ｃの方向は、フラップ１０２ｄの向きに応じて変化する。したがって、制御部１０５は、フラップ１０２ｄの向きを制御することにより縦方向における光１０３ｃの方向を制御する。ユーザは、光１０３ｃの方向を見ることにより、空気調和機１０１の縦方向における風向きを認識することができる。
【００４５】
図７は、空気調和機１０１の動作の一例を示すフローチャートである。
ステップＳ３０１では、信号受信部１０４は、リモコン１０７から送信された信号を受信する。信号受信部１０４に入力された信号は、制御部１０５に転送される。リモコン１０７から送信された信号は、空調制御を実行するための信号、光学照準機能を実行するための信号、又はこれらの両方の信号を含む。
【００４６】
ステップＳ３０２では、制御部１０５（具体的には、空気制御部１０５ａ）は、信号受信部１０４を介してリモコン１０７から受信した信号が、光学照準機能を使用するための信号か判定する。
【００４７】
制御部１０５（具体的には、空気制御部１０５ａ）がステップＳ３０１において受信した信号が、光学照準機能を使用するための信号であるとき（ステップＳ３０２においてＹｅｓ）、処理は、ステップＳ３０３に遷移する。空気制御部１０５ａが信号受信部１０４から受信した信号は、光源信号制御部１０５ｂに転送される。
【００４８】
制御部１０５（具体的には、空気制御部１０５ａ）がステップＳ３０１において受信した信号が、光学照準機能を使用するための信号ではないとき（ステップＳ３０２においてＮｏ）、図７に示される処理が終了する。
【００４９】
ステップＳ３０３では、制御部１０５（具体的には、空気制御部１０５ａ）は、送風部１０２からの風量を取得する。送風部１０２からの風量は、例えば、ユーザによって指定された風量に対応するファン１０２ａの回転数である。送風部１０２からの風量を示す情報は、空気制御部１０５ａから光源信号制御部１０５ｂに転送される。
【００５０】
ステップＳ３０４では、制御部１０５（具体的には、光源信号制御部１０５ｂ）は、送風部１０２からの風量に応じて、光出射部１０３から出射される光１０３ｃの制御値を決定する。光１０３ｃの制御値は、光の焦点位置、光の強度、及び光の照射位置のうちの少なくとも１つである。本実施の形態では、制御部１０５（具体的には、光源信号制御部１０５ｂ）は、送風部１０２からの風量に応じて、光出射部１０３から出射される光１０３ｃの焦点位置及び強度を決定する。さらに、風量に応じて光の照射位置を調整する場合、光源信号制御部１０５ｂは、ステップＳ３０４において光１０３ｃの照射位置を決定する。
【００５１】
光１０３ｃの焦点位置、強度、及び照射位置は、ユーザからの指示（すなわち、リモコン１０７から送信された信号に含まれるデータ）に基づいて決定してもよいし、風量に応じて予め定められた制御値に決定してもよい。
【００５２】
ステップＳ３０５では、制御部１０５（具体的には、光源信号制御部１０５ｂ）は、ステップＳ３０４で決定された制御値に基づいて、送風部１０２からの風量に応じて光出射部１０３から出射される光１０３ｃを制御する。
【００５３】
例えば、光出射部１０３から出射される光１０３ｃの焦点位置を調節する場合、光源信号制御部１０５ｂは、ステップＳ３０４で決定された制御値に基づいて光学素子１０３ｂに対する光源１０３ａの位置を調節する。これにより、光出射部１０３から出射される光１０３ｃの焦点位置が調節される。光出射部１０３から出射される光１０３ｃの焦点位置を調節する場合、光源信号制御部１０５ｂは、ステップＳ３０４で決定された制御値に基づいて光源１０３ａに対する光学素子１０３ｂの位置を調節してもよい。
【００５４】
光出射部１０３から出射される光１０３ｃの強度を調節する場合、光源信号制御部１０５ｂは、例えば、ステップＳ３０４で決定された制御値に基づいて光源１０３ａを制御する。
【００５５】
光出射部１０３から出射される光１０３ｃの照射位置を調節する場合、光源信号制御部１０５ｂは、例えば、ステップＳ３０４で決定された制御値に基づいて光源１０３ａの位置、光学素子１０３ｂの位置、及び光源１０３ａからの光の強度のうちの１つ以上を調節する。
【００５６】
ステップＳ３０５の処理の結果、送風部１０２からの風量に応じた光１０３ｃが光出射部１０３から出射される。
【００５７】
ユーザは、光出射部１０３からの光１０３ｃを見ることにより、空気調和機１０１に設定されている風量を容易に認識することができる。すなわち、ユーザは、光出射部１０３からの光１０３ｃの焦点位置、強度、又は照射位置を見ることにより、空気調和機１０１に設定されている風量を容易に認識することができる。これにより、ユーザが空気調和機１０１から離れた場所にいる場合でも、空気調和機１０１に設定されている風量を容易に認識することができる。
【００５８】
したがって、ユーザは、光出射部１０３からの光１０３ｃ（すなわち、光１０３ｃの焦点位置、強度、又は照射位置）に基づいて空気調和機１０１の風量を調節することができる。これにより、ユーザが空気調和機１０１から離れた場所にいる場合でも、空気調和機１０１に設定されている風量を容易に認識することができ、空気調和機１０１の風量を適切に調節することができる。
【００５９】
実施の形態２．
図８は、本発明の実施の形態２に係る空気調和機２０１の構成を概略的に示す図である。
実施の形態２に係る空気調和機２０１は、少なくとも１つの光出射部１０３が筐体１０６に固定されている点で実施の形態１に係る空気調和機１０１と異なる。筐体１０６に固定されている光出射部１０３は、例えば、サーチライトである。さらに、実施の形態１と同様に、風向調節部１０２ｂにも少なくとも１つの光出射部１０３が固定されていてもよい。
【００６０】
実施の形態１と同様に、リモコン１０７から送信された信号は、空調制御を実行するための信号、光学照準機能を実行するための信号、又はこれらの両方の信号を含む。実施の形態１と同様に、空気制御部１０５ａは、送風部１０２を制御し、空調制御を行う。
【００６１】
光源信号制御部１０５ｂは、送風部１０２からの風量に応じて光出射部１０３から出射される光１０３ｃの焦点位置及び照射位置を制御する。さらに、光源信号制御部１０５ｂは、リモコン１０７から送信された信号（具体的には、ユーザによって指示された風向き）に基づいて光出射部１０３から出射される光の方向を制御する。すなわち、光源信号制御部１０５ｂは、風向調節部１０２ｂ（すなわち、ルーバ１０２ｃ及びフラップ１０２ｄ）の動作とは独立して筐体１０６に固定された光出射部１０３から出射される光１０３ｃの方向を制御する。
【００６２】
実施の形態２に係る空気調和機２０１は、実施の形態１に係る空気調和機１０１と同様の効果を有する。
【００６３】
さらに、実施の形態２に係る空気調和機２０１では、制御部１０５（具体的には、空気制御部１０５ａ）は、風向調節部１０２ｂ（すなわち、ルーバ１０２ｃ及びフラップ１０２ｄ）の動作とは独立して筐体１０６に固定された光出射部１０３から出射される光１０３ｃの方向を制御することができる。これにより、筐体１０６に固定された光出射部１０３から出射される光１０３ｃの方向を自由に調節することができる。
【００６４】
以上に説明した各実施の形態における特徴は、互いに適宜組み合わせることができる。
【符号の説明】
【００６５】
１０１，２０１  空気調和機、  １０２  送風部、  １０２ａ  ファン、  １０２ｂ  風向調節部、  １０２ｃ  ルーバ、  １０２ｄ，１０２ｅ，１０２ｆ  フラップ、  １０３  光出射部、  １０３ａ  光源、  １０３ｂ  光学素子、  １０３ｃ  光、  １０４  信号受信部、  １０５  制御部、  １０５ａ  空気制御部、  １０５ｂ  光源信号制御部、  １０６  筐体、  １０７  リモートコントローラ、  １０７ａ  ボタン、  １０８ａ  プロセッサ、  １０８ｂ  メモリ、  １０８ｃ  処理回路。
【図１】
2019086157.tif 000003
【図２】
2019086157.tif 000004
【図３】
2019086157.tif 000005
【図４】
2019086157.tif 000006
【図５】
2019086157.tif 000007
【図６】
2019086157.tif 000008
【図７】
2019086157.tif 000009
【図８】
2019086157.tif 000010